(57)【特許請求の範囲】
【請求項１】
横幅及び奥行きのいずれにも直交し、かつこれらよりも大きな長さを有し、前記長さ方向に延びる少なくとも１個のコンタクトを収容した縦長のコネクタハウジングと、
前記ハウジングの両側壁の下部に一体に形成され、前記ハウジングの長さ方向に延び、かつ横外側方へ突出する係止爪を有する一対の抜け止め用弾性脚部と、
前記ハウジング両側壁の上部に一体に形成され、前記両係止爪の突出幅とほぼ等しい幅で横方向に突出する補助突片とを備えているコネクタであって、該コネクタをマガジンケースに収容した際、隣り合う前記コネクタの前記係止爪が当接すると共に、隣接する前記補助突片も互いに当接して、傾くことなく整列して収容されることを特徴とするプリント配線板用コネクタ。
【請求項２】
前記コネクタハウジングに１本のピンコンタクトが設けられている請求項１記載のプリント配線板用コネクタ。
【発明の詳細な説明】
【０００１】
【発明の属する技術分野】
本発明は、マガジンケースに収容して、円滑に給送することができるプリント配線板用コネクタに関する。
【０００２】
【従来の技術】
コネクタを自動挿入機などに供給するため、多数のコネクタを収容したマガジンケースを自動挿入機に装填して、コネクタを連続的に給送することが行なわれている。
【０００３】
【発明が解決しようとする課題】
しかし、例えば図８に示すように、１本のピンコンタクト２が設けられた幅狭で縦長の細長いコネクタハウジング３の両側壁４，４の下端部に、横外側方へ突出する係止爪６を備えた抜け止め用弾性脚部５が設けられている１極のプリント配線板用コネクタ１のような場合、両係止爪６，６間の幅Ａがコネクタハウジング３本体の幅Ｂより大きいため、該コネクタ１をマガジンケース７に収容して給送する際、隣り合うコネクタ１同士の係止爪６，６が押し合ってコネクタ１が傾き、傾いたコネクタ１はハウジング３の隅部がマガジンケース７の内側壁面に当接して停滞し、詰まりが発生するという問題があった。
【０００４】
本発明は、このような従来の問題点を解決し、コネクタがマガジンケース内で傾いて詰まることがなく、極めて円滑に給送できるプリント配線板用コネクタを提供することを目的とする。
【０００５】
【課題を解決するための手段】
上記目的を達成するために、本発明は、横幅及び奥行きのいずれにも直交し、かつこれらよりも大きな長さを有し、前記長さ方向に延びる少なくとも１個のコンタクトを収容した縦長のコネクタハウジングと、前記ハウジングの両側壁の下部に一体に形成され、前記ハウジングの長さ方向に延び、かつ横外側方へ突出する係止爪を有する一対の抜け止め用弾性脚部と、前記ハウジング両側壁の上部に一体に形成され、前記両係止爪の突出幅とほぼ等しい幅で横方向に突出する補助突片とを備えているコネクタであって、該コネクタをマガジンケースに収容した際、隣り合う前記コネクタの前記係止爪が当接すると共に、隣接する前記補助突片も互いに当接して、傾くことなく整列して収容されることを特徴とする。
【０００６】
上記のように前記ハウジングの両側壁に補助突片を設けると、該コネクタをマガジンケースに収容して給送する際、隣り合うコネクタの前記係止爪が当接すると、前記補助突片も互いに当接するので、各コネクタはマガジンケース内で傾くことがなく、整然と整列して順次給送される。
【０００７】
本発明は、主として前記ハウジングに収容されるコンタクトが一つである１極タイプのコネクタに適用するが、２極ないし数極であってもコネクタハウジングの横幅及び奥行きのいずれもが幅狭で縦長のもので、マガジンケース内で傾くおそれのある場合にも適用できる。
【０００８】
【発明の実施の形態】
以下、本発明の好適な実施の形態を図面に基づいて説明する。
【０００９】
図１ないし図４は、本発明によるプリント配線板用コネクタ１１を示している。該コネクタ１１は、横幅及び奥行きのいずれもが幅狭で、かつこれらよりも大きい長さを有する縦長の箱形に形成されたコネクタハウジング１３に１本のピンコンタクト１２がハウジング底部を貫通して配設され、前記ハウジングの長さ方向に延びる１極タイプであって、ハウジング１３の両側壁１４，１４の下部に一体に形成され、横外側方へ突出する係止爪１６を備えた抜け止め用弾性脚部１５が下方へ延出して設けられている。弾性脚部１５は、図７に示すように、コネクタ１をプリント配線板３０に実装する際に、プリント配線板３０に設けられている位置きめ孔３１に挿通して、係止爪１６がプリント配線板３０に係止され、ハウジング１３がプリント配線板３０から抜け出すのを防ぐために設けられるものであって、容易に弾性変形できるように側壁１４に対して片持ち構造に設けられている。
【００１０】
また、ハウジング１３の両壁１４，１４の上部には、一対の補助突片１７，１７が一体に形成されている。該補助突片１７は、側壁１４に対して係止爪１６の突出幅とほぼ等しい幅だけ横方向へ突出して設けられていて、両係止爪１６，１６間の幅Ａと両補助突片１７，１７間の幅Ａ′（図３参照）がほぼ等しくなるように設計されている。
【００１１】
図中１８は、ハウジング１３の正面壁上端に一体に形成したロック爪で、図７に示すように、実装時に相手側コネクタ２１のロックアーム２２と係合して、コネクタ２１を保持固定する。
【００１２】
図５及び図６は、上記のような構成を有するコネクタ１１をマガジンケース２５に収容して給送する状態を示している。マガジンケース２５に収容されたコネクタ１１群を矢印で示す方向へ押動して給送すると、隣り合うコネクタ１１の係止爪１６，１６が互いに押し合って当接すると同時に、隣接する補助突片１７，１７も互いに当接するので、各コネクタ１１はマガジンケース２５内で傾くことがなく、給送方向に整然と並列して順次給送される。したがって、マガジンケース２５内にコネクタ１１が停滞して詰まることはない。
【００１３】
【発明の効果】
以上説明したように、本発明によれば、コネクタハウジングの両側壁の上部に補助突片を設けるだけの簡単な手段でありながら、収容したマガジンケース内でコネクタが傾いて詰まるおそれがなく、円滑に給送できるものである。
【図面の簡単な説明】
【図１】本発明によるプリント配線板用コネクタの斜視図である。
【図２】同コネクタの底面側からみた斜視図である。
【図３】同コネクタの正面図である。
【図４】同コネクタの平面図である。
【図５】同コネクタをマガジンケースに収容して給送している状態を示す要部横断平面図である。
【図６】図５の６−６線に沿う矢視図である。
【図７】同コネクタの実装例を示す要部縦断面図である。
【図８】従来技術によるコネクタをマガジンケースに収容して給送している状態を示す要部横断平面図である。
【符号の説明】
１１  プリント配線板用コネクタ
１２  ピンコンタクト
１３  コネクタハウジング
１４  ハウジング１３の側壁
１５  抜け止め用弾性脚部
１６  係止爪
１７  補助突片
１８  ロック爪
【図１】
0003596759.tif 000002
【図２】
0003596759.tif 000003
【図３】
0003596759.tif 000004
【図４】
0003596759.tif 000005
【図５】
0003596759.tif 000006
【図６】
0003596759.tif 000007
【図７】
0003596759.tif 000008
【図８】
0003596759.tif 000009